(57)【特許請求の範囲】
【請求項１】
１枚のブランクシートから一体的に打ち抜かれた箱体形成片から成り、この箱体形成片には、互いに平行に連接された側面と、前記側面の一つから一体に設けられ前記箱体形成片の組立状態で、前記連接された側面から連なり箱体の底面の一部を形成する第一底蓋片と、前記第一底蓋片の端部に連接され箱体の底面で交差して前記箱体内へ立ち上がる立上片と、前記立上片の端部に連接され箱体の底面に対してほぼ平行に前記箱体内で位置する上面部と、前記上面部の端部に連接され箱体の側面内側に糊付けされる糊付片が設けられ、前記上面部は前記箱体正面とは反対側に前記箱体底面の約半分程度の面積で設けられ、前記第一底蓋片と組み合わされて箱体の底面を形成する前記第二底蓋片の端部に連接され前記第二底蓋片に重ねて折り返される移動防止フラップが設けられ、前記移動防止フラップが箱体の底面の箱体正面側に底面の約半分より小さい面積で設けられていることを特徴とする展示用包装箱。
【請求項２】
１枚のブランクシートから一体的に打ち抜かれた箱体形成片から成り、この箱体形成片には、互いに平行に連接された側面と、前記側面の一つから一体に設けられ前記箱体形成片の組立状態で、前記連接された側面から連なり箱体の底面の一部を形成する第一底蓋片と、前記第一底蓋片の端部に連接され箱体の底面で交差して前記箱体内へ立ち上がる立上片と、前記立上片の端部に連接され箱体の底面に対してほぼ平行に前記箱体内で位置する上面部と、前記上面部の端部に連接され箱体の側面内側に糊付けされる糊付片が設けられ、前記上面部は前記箱体正面とは反対側に前記箱体底面の約半分程度の面積で設けられ、前記上面部の前記箱体の正面側に位置する端部には、上方へ折り曲げて立設される倒れこみ防止フラップが設けられていることを特徴とする展示用包装箱。
【発明の詳細な説明】
【技術分野】
【０００１】
この発明は、箱体形成片と一体に、被収容物の倒れ込み防止用の中仕切りが設けられている展示用包装箱に関する。
【背景技術】
【０００２】
従来、商品を収容して運搬や保管を行う包装用箱を、開封してそのまま展示する展示用包装箱がある。特許文献１に開示されている商品包装箱は、商品包装箱の本体箱内に複数の仕切壁を前後方向に所定間隔で配置して複数の収納スペースを仕切り、また各仕切壁は前後方向に折り畳み可能にする。この商品包装箱は、本体箱内の各収納スペースに商品を１つずつ収納することで複数の商品を輸送時の振動・衝撃から保護する梱包箱として使用すると共に、商品を陳列する際には、商品を収納した本体箱を陳列棚等に載置することで複数の商品を前後方向に整列させた状態で陳列する陳列箱として兼用する。
【０００３】
また、展示用箱で仕切りが無いものは、商品が少なくなると空間が広くなり薄い形状の商品は転倒しやすくなるが、商品の転倒防止機能を有するものとして、特許文献２に開示された記録媒体の展示包装箱がある。この展示包装箱は、薄型である記録媒体を展示するものであり、背面部と蓋面部との間に筋押し線が設けられている。この展示包装箱は、収容する記録媒体が減ったとき、蓋面部を筋押し線に沿って折り曲げてその先端で記録媒体の裏側を支え、記録媒体を展示包装箱の前面部の裏側に押し付ける。また、左右側面部の中央部には互いに対向するコの字形の切り込みが設けられ、左右側面部の切り込みにより形成された切り込み部を内側に折り曲げて、その先端で記録媒体の裏側を支え、記録媒体を包装箱の全面部の裏側方向に押し付けるものである。
【０００４】
この他に、薄い形状の商品の転倒防止機能を有するものとして、図４に示す展示用包装箱１があった。展示用包装箱１は、底部を形成する底蓋片２の端部に、倒れこみ防止の中仕切り部３が連接して設けられている。中仕切り部３は、底蓋片２に対して直角に折り曲げて展示用包装箱１の内側に向かって立設されている。中仕切り部３の形状は三角形状であり、展示用包装箱１の背面４に近づくにつれて高くなっている。展示用包装箱１に薄形の商品５を収容して展示したとき、数が少なくなり転倒しても、中仕切り部３に支えられて傾斜した状態で展示される。
【特許文献１】特開２００７−５５６５３号公報
【特許文献２】実開平６−５７８１４号公報
【発明の開示】
【発明が解決しようとする課題】
【０００５】
上記特許文献１に開示されている商品包装箱は、仕切壁を形成する段ボール材などの紙材が必要であり、部品点数が多く、構造が複雑でコストが掛かるものであった。特許文献２に開示されている展示包装箱は、記録媒体は蓋面部のバネ作用、又は左右側面部のコの字型の切り込み部のバネ作用により支えられているだけなので、強度が低く不安定であった。図４に示す従来の技術は、商品５が多いときには後に倒れ込み、少なくなると手前に滑り込み底面に倒れてしまうという問題があった。
【０００６】
この発明は、上記背景技術の問題点に鑑みてなされたものであり、簡単な構造で確実に薄い形状の商品を立てて整列させて展示することができる展示用包装箱を提供することを目的とする。
【課題を解決するための手段】
【０００７】
本発明は、１枚のブランクシートから一体的に打ち抜かれた箱体形成片から成り、この箱体形成片には、互いに平行に連接された側面と、前記側面の一つから一体に設けられ前記箱体形成片の組立状態で、前記連接された側面から連なり箱体の底面の一部を形成する第一底蓋片と、前記第一底蓋片の端部に連接され箱体の底面で交差して前記箱体内へ立ち上がる立上片と、前記立上片の端部に連接され箱体の底面に対してほぼ平行に前記箱内内で位置する上面部と、前記上面部の端部に連接され箱体の側面内側に糊付けされる糊付片が設けられ、前記上面部は前記箱体正面とは反対側に、前記箱体底面の約半分程度の面積で設けられ、前記上面部の前記箱体の正面側に位置する端部には、上方へ折り曲げて立設される倒れこみ防止フラップが設けられている展示用包装箱である。
【０００８】
また、前記第一底蓋片と組み合わされて箱体の底面を形成する前記第二底蓋片の端部に連接され前記第二底蓋片に重ねて折り返される移動防止フラップが設けられ、前記移動防止フラップが箱体の底面の箱体正面側に底面の約半分より小さい面積で設けられている展示用包装箱である。
【０００９】
なお、箱体形成片に、倒れこみ防止フラップまたは移動防止フラップのいずれか一方が設けられていればよく、両方が設けられていてもよい。互いに連接する前記側面には、連接方向に沿う開封用の破断線が連続して設けられてもよい。
【発明の効果】
【００１０】
本発明の展示用包装箱は、簡単な構造で、確実に薄い形状の商品を立てて整列させた状態で展示することができ、商品の数が少ないときでも、箱体内に倒れることが無くきれいに陳列することができるものである。
【発明を実施するための最良の形態】
【００１１】
以下、この発明の実施形態について図面に基づいて説明する。図１〜図３はこの発明の一実施形態を示すもので、この実施形態の展示用包装箱１０は、後述する箱体の内側に立上片４６、上面部５０、糊付片５８で形成されたコの字形の中仕切りが設けられている。中仕切りは、箱体の正面である側面１６とは反対側の側面２０寄りに設けられ、箱体の底面の約半分程度の面積で設けられている。上面部５０は箱体の底面に対してほぼ平行に設けられ、上面部５０の側面１６側に位置する端部には、上方へ折り曲げて立設される倒れこみ防止フラップ５４が折罫線５６で区切られて設けられている。また、箱体の底面の側面１６寄りの位置に、移動防止フラップ８０が重ねられて設けられている。移動防止フラップ８０は、箱体の底面の約半分より小さい面積で設けられている。
【００１２】
この実施形態の展示用包装箱１０は、厚紙等の１枚のブランクシートを打ち抜いて形成された箱体形成片１２を組み立てて設けられている。図３は箱体形成片１２を表面から見た展開図であり、箱体形成片１２は、側面１４，１６，１８，２０が、互いに平行に連接して形成されている。側面１４，１６，１８，２０は、連接している幅方向は同じ長さであり、連接方向の長さは側面１４，１８が長くて互いにほぼ等しく、側面１６，２０は短くて互いにほぼ等しい。さらに側面１４の側縁部には、展示用包装箱１０の組み立て状態で側面２０の裏面に糊付けされる糊付片２２が設けられている。そして、糊付片２２、側面１４，１６，１８，２０は、各々折罫線２４，２６，２８，３０で区切られている。
【００１３】
側面１４において、側面どうしの連接方向に対して直角な方向の一端部には、フラップ３２が折罫線３４で区切られて設けられている。折罫線３４には、折り曲げ易くするため破断線が設けられている。側面１４の、折罫線３４と反対側の端部には、第一底蓋片３６が折罫線３８で区切られて設けられている。折罫線３８には、折り曲げ易くするため破断線が設けられている。第一底蓋片３６の折罫線３８から折罫線３８に対して平行な端部３６ａまでの長さは、端部３６ａが展示用包装箱１０の組立状態で底面の中心線付近に位置する長さ、つまり側面１６，２０の半分の幅に設けられている。そして、端部３６ａの中心から折罫線２４側の部分は、端部３６ａよりも外側に幅広に形成された差込片４０となる。また第一底蓋片３６の折罫線２６近傍には、三角形の糊付片４２が折罫線４４で区切られて設けられ、折罫線４４は折罫線３８に対して鋭角で交差する方向に設けられている。
【００１４】
第一底蓋片３６の差込片４０の端部には、第一底蓋片３６に対してほぼ直角に立設される立上片４６が折罫線４８で区切られて設けられている。立上片４６は矩形であり、第一底蓋片３６に連接している幅方向は差込片４０と同じ長さであり、連接方向の長さは第一底蓋片３６の差込片４０を有する部分よりも少し短く形成されている。
【００１５】
立上片４６の折罫線４８と反対側の端部には、上面部５０が折罫線５２で区切られて設けられている。上面部５０は矩形であり、立上片４６に連接している幅方向は立上片４６と同じであり、連接方向の長さは第一底蓋片３６の差込片４０を有する部分とほぼ同じである。上面部５０の、連接方向に交差する端部のうち、折罫線２４と反対側の端部には、倒れこみ防止フラップ５４が折罫線５６で区切られている。倒れこみ防止フラップ５４は、矩形であり、上面部５０に連接している幅方向は上面部５０と同じであり、連接方向の長さは上面部５０より少し短く形成されている。
【００１６】
上面部５０の折罫線５２と反対側の端部には、糊付片５８が折罫線６０で区切られて設けられている。糊付片５８は矩形であり、上面部５０に連接している幅方向は上面部５０と同じ長さであり、連接方向の長さは上面部５０より短く、また立上片４６よりも少し短く形成されている。
【００１７】
側面１６の、側面１４の折罫線３８に隣接する端部には、台形状のフラップ６２が折罫線６４で区切られて設けられている。折罫線６４には、折り曲げ易くするため破断線が設けられている。
【００１８】
側面１８の、側面１４の折罫線３４側の端部には、フラップ６６が折罫線６８で区切られて設けられている。折罫線６８には、折り曲げ易くするため破断線が設けられている。側面１８の、折罫線６８と反対側の端部には、第二底蓋片７０が折罫線７２で区切られて設けられている。第二底蓋片７０の折罫線７２から折罫線７２に対して平行な端部７０ａまでの長さは、端部７０ａが展示用包装箱１０の組立状態で底面の中心線付近に位置する長さ、つまり側面１６，２０の半分の幅に設けられている。そして、端部７０ａの中心から折罫線２８側の部分は、端部７０ａよりも外側に幅広に形成された差込片７４となる。また第二底蓋片７０の折罫線３０近傍には、三角形の糊付片７６が折罫線７８で区切られて設けられ、折罫線７８は折罫線７２に対して鋭角で交差する方向に設けられている。
【００１９】
第二底蓋片７０の差込片７４の端部には、第二底蓋片７０に折り返して重ねられる移動防止フラップ８０が折罫線８２で区切られて設けられている。移動防止フラップ８０は、矩形であり、第二底蓋片７０に連接している幅方向は差込片７４の約半分の長さであり、連接方向の長さは第二底蓋片７０の差込片７４を有する部分よりも少し短く形成されている。
【００２０】
側面２０の、側面１８の折罫線６８に隣接する端部には、上蓋片８４が折罫線８６に区切られて設けられている。上蓋片８４は矩形であり、側面２０に連接している幅方向は側面２０と同じであり、連接方向の長さは側面１４，１８の側面同士の連接方向長さと同じであり、折罫線８６から突出方向に長い矩形である。上蓋片８４の長手方向の中間には、折罫線８６に対してほぼ平行な折罫線８８が設けられている。上蓋片８４の、折罫線８６の反対側の端部には、さらに差込片９０が折罫線９２で区切られて設けられている。
【００２１】
側面２０には、側面２０の中心よりも折罫線８６に近い位置に、切断線９６が設けられている。切断線９６は、折罫線８６側へ彎曲して膨出している。側面２０の、折罫線８６と反対側の端部には、台形状のフラップ９８が折罫線１００で区切られて設けられている。
【００２２】
側面１４，１６，１８には、連接方向に沿って互いに平行な一対の破断線９４が設けられている。破断線９４は、側面１４の折罫線２４と折罫線３４で形成された角部から、折罫線２６上で折罫線２６の中心よりも少し折罫線３４に近い位置に向かい、次に側面１６を折罫線６４に対して平行に横断し、さらに側面１８の折罫線２８上から折罫線３０と折罫線６８で形成された角部に達して、全体にＶ字状に形成されている。側面１６の中心に位置する部分には、一対の破断線９４の間を切断する切断線９５が設けられている。
【００２３】
次に、この実施形態の展示用包装箱１０の組立方法の一例について説明する。なお、ここでは図３が展示用包装箱１０の箱体形成片１２の表面を見たものであり、箱体形成片１２の表面が凸になる折り方を正折り、そして裏面が凸になる折り方を逆折りと称する。
【００２４】
まず、倒れこみ防止フラップ５４を折罫線５６で逆折りして上面部５０に重ね、糊付片５８表面に糊１０２を塗布し、折罫線５２を正折りする。さらに、移動防止フラップ８０の裏面に糊１０４を塗布し、折罫線８２を正折りし、差込片７４の裏面に糊付けされる。次に、第一底蓋片３６を折罫線３８で正折りする。このとき、糊付片５８は糊１０２により側面１４裏面に糊付けされる。同様にフラップ６２を折罫線６４で、第二底蓋片７０を折罫線７２で、フラップ９８を折罫線１００で正折りする。
【００２５】
次に第一底蓋片３６の折罫線４４で、糊付片４２を逆折りし、また、第二底蓋片７０の折罫線７８で、糊付片７６を逆折りし、糊付片４２裏面に糊１０６を、また糊付片７６裏面に糊１０８を塗布する。この後、折罫線２６で側面１４を正折りし、これにより、第一底蓋片３６の糊付片４２の裏面は、糊１０６によりフラップ６２の表面に糊付けされる。そして、糊付片２２表面に糊１１０を塗布し、折罫線３０で側面２０を正折りし、これにより、第二底蓋片７０の糊付片７６の裏面は、糊１０８によりフラップ９８の表面に糊付けされる。このとき、糊付片２２の折罫線３８に近い端部を、互いに折り重ねられた側面２０とフラップ９８の間に差し込む。
【００２６】
次に、商品を収容し包装する工場等において、折罫線２４，２６，２８，３０を各々９０度に正折りして四角形の箱体にする。このとき、第一底蓋片３６は側面１４からフラップ６２とともに引き起こされて折罫線３８で直角に正折りされ、同時に第二底蓋片７０は側面１８からフラップ９８とともに引き起こされて折罫線７２で直角に正折りされる。さらに、第一底蓋片３６の差込片４０が、第二底蓋片７０の端部７０ａの裏面に差し込まれ、第二底蓋片７０の差込片７４が、第一底蓋片３６の端部３６ａの裏面に差し込まれ、互いに確実に係止されて底面を形成する。また、第一底蓋片３６とともに立上片４６が側面１４から離れ、上面部５０が側面１４に対してほぼ直角に引き起こされる。上面部５０に設けられた倒れこみ防止フラップ５４は、逆折り状態で弾性力により僅かに立ち上がり、側面１６に対して傾斜して対面する。
【００２７】
さらに折罫線３４，６８でフラップ３２，６６を９０度に正折りし、折罫線８６で上蓋片８４を９０度に正折りし、その後差込片９０を折罫線９２で正折りし、差込片９０を側面１６の裏面側に差し込んで係止し、上面が形成される。なお、箱体形成片１２を組み立てる順番はこれ以外でもよく、適宜変更可能である。
【００２８】
次に、この実施形態の展示用包装箱１０の使用方法について説明する。まず、運搬や保管時には、上蓋片８４を各側面に閉じた状態にする。店頭で陳列する際は、側面１６の切断線９５から一対の破断線９４の間の帯状部分を引き起こし、破断線９４を切断して取り除く。これにより、側面１４，１６，１８は分割され、上面側を取り外す。上面側を取り外した開口部から、展示用包装箱１０に収容されている薄い形状の商品１１２が露出する。また、上蓋片８４は、折罫線８８で正折りして二つに折り重ね、差込片９０を側面２０の内側に重ね、側面２０の切断線９６に差し込で係止し、立設する。これにより、上蓋片８４に印刷された商品１１２についての説明などが消費者から視認される。
【００２９】
商品１１２の数が多いときは、図１に示すように、倒れこみ防止フラップ５４を逆折りして側面１６の間に商品１１２を、互いに重ねて立てて入れ、陳列する。商品１１２の側面２０側の一番目の背面部は、倒れこみ防止フラップ５４に押えられて倒れることを防いでいる。商品１１２の数が少なくなったときは、図２に示すように、商品１１２の側面１６側の一番目の下端部を移動防止フラップ８０の端部に係止し、立てた状態で陳列する。
【００３０】
この実施形態の展示用包装箱１０によれば、簡単な構造で薄い形状の商品１１２を立てて整列した状態で陳列することができる。商品１１２の数が少なくなっても倒れることがなく、移動防止フラップ８０と倒れこみ防止フラップ５４に支えられて立てて陳列することができる。これにより、消費者に整頓された印象を与えることができる。また、上蓋片８４は商品１１２の後ろ側に高く立設され、視認されやすく、広告効果が高いものである。
【００３１】
なお、この発明は上記実施形態に限定されるものではなく、倒れこみ防止フラップや移動防止フラップの形状や大きさ等適宜変更可能である。倒れこみ防止フラップと移動防止フラップは、底蓋片以外の部材に連続して設けられてもよい。側面を分割する破断線の位置も、適宜変更可能である。一つの箱体に、倒れこみ防止フラップまたは移動防止フラップの一方を設けたものでもよい。上蓋片の形状や折罫線の位置は自由に変更可能であり、上蓋片を側面から取り外して陳列してもよい。
【図面の簡単な説明】
【００３２】
【図１】この発明の一実施形態の展示用包装箱の商品の数が多い状態を示す斜視図である。
【図２】この実施形態の展示用包装箱の商品の数が少ない状態を示す斜視図である。
【図３】この実施形態の展示用包装箱の展開図である。
【図４】従来の技術の展示用包装箱の斜視図である。
【符号の説明】
【００３３】
１０  展示用包装箱
１２  箱体形成片
１４，１６，１８，２０  側面
２２  糊付片
３６  第一底蓋片
４６  立上片
５０  上面部
５４  倒れこみ防止フラップ
５８  糊付片
７０  第二底蓋片
８０  移動防止フラップ
９４  破断線
８４  上蓋片
１１２  商品
【図１】
0005173376.tif 000002
【図２】
0005173376.tif 000003
【図３】
0005173376.tif 000004
【図４】
0005173376.tif 000005